(57)【要約】【課題】ホースリールに取り付けた状態でもホースリースから取り外した状態でも踏み台としても使用可能なカバーを備えた踏み台付きホースリールを提供する。【解決手段】この踏み台付きホースリールは、ホースを巻き取る軸筒を有するドラムと、このドラムを回転可能に支持する架台（フレーム）とからなるホースリール本体と、四側壁および四側壁の上端部に固定された天板を有して上記ホースリール本体の上方および周囲を覆うとともに、四側壁のうちの少なくとも一側壁には上記ホースを外方に引き出すためのホース取出口を開設してなり、ホースリール本体に取り付けた状態、および、ホースリール本体から取り外した状態にて、上記天板を足場とした踏み台として使用可能なカバーとからなる。【選択図】図１
2010126332.tif 000002
【特許請求の範囲】
【請求項１】
ホースを巻き取る軸筒を有するドラムと、
このドラムを回転可能に支持する架台とからなるホースリール本体と、
四側壁および四側壁の上端部に固定された天板を有して上記ホースリール本体の上方および周囲を覆うとともに、四側壁のうちの少なくとも一側壁には上記ホースを外方に引き出すためのホース取出口を開設してなり、ホースリール本体に取り付けた状態、およびホースリール本体から取り外した状態にて、上記天板を足場とした踏み台として使用可能なカバーとからなる踏み台付きホースリール。
【請求項２】
上記ホース取出口の下方に連続して、当該一側壁の下方へ開放するように切り欠かれた下方開口部が形成されたことを特徴とする請求項１記載の踏み台付きホースリール。
【請求項３】
上記下方開口部を、着脱可能な閉鎖部材で覆ったことを特徴とする請求項２記載の踏み台付きホースリール。
【請求項４】
上記下方開口部を、横方向に回動して開閉可能な扉部材で覆ったことを特徴とする請求項２記載の踏み台付きホースリール。
【請求項５】
上記カバーの天板に取っ手を設けたことを特徴とする請求項１乃至４のいずれかに記載の踏み台付きホースリール。
【発明の詳細な説明】
【技術分野】
【０００１】
本発明は、取り外しが可能なカバーを備え、取り外したカバーを踏み台として使用できるホースリールに関する。
【背景技術】
【０００２】
水まき等に使用され、一端を水道の蛇口に接続されて他端から水を放出するホースは、一般にホースリールのドラムに巻きつけられて用いられる。このドラムは、ホースを巻きつける軸筒と、ホースが外れないよう両側から取り付けた円盤部とを有する。上記ドラムを軸筒の両端で、架台によって回転可能に支持してホースリールを形成していた。
【０００３】
このようなホースリールでは、ホースを巻き取った状態からホースを引くとドラムが回転してホースを引き出すことができ、また、ホースを引き出した状態から、軸筒に連結されたクランク状のハンドルを逆方向に回転させると、ドラムが回転してホースを巻き戻すことができる。
【０００４】
従来のホースリールには、ホースが風雨や直射日光にさらされて劣化するのを防止するために、ホースリールを覆うカバーを設けたものがある。特許文献１には、ドラムの上下および側方を覆うとともにドラムを回転可能に支持するカバーを有するホースリールが記載されている。
このようなホースリールでは風雨や直射日光からホースを保護することはできるが、使用中に水に濡れたホースに砂や草の破片が付着し、ドラムへの巻き取りとともに付着物も取り込んで、ホースリールの内部を汚してしまうことがあった。加えて、このようなホースリールでは架台を兼ねるカバーをドラムから取り外せず、内部の洗浄が困難であった。
【０００５】
また、車高の高い自動車や高い位置に置かれた植木鉢等に水をかけるには、踏み台が必要となる。特許文献２には、ドラムの四周の側面を囲むカバーによってドラムを回転自在に支持し、このカバーの上部から足場となる蓋体を取り付けて、ホースリールを踏み台としても用いるものが記載されている。
しかし、踏み台とホースリールとが一体となっており、踏み台として使用者が乗った状態でホースを引き出した場合、その反動でホースリール全体が揺れたり移動したりして、踏み台としての安定性や安全性が損なわれる。
【０００６】
また、特許文献３には、踏み台とホースリールカバーとを別体に形成し、収納時には逆さにした踏み台の上方からホースリールカバーを収納し、ホースリールカバー内には洗浄具を収納する洗車用具セットが記載されている。
このようなホースリールでは踏み台がホースリールカバーとは別体に形成されており、安定性や安全性の問題は生じない。しかし、収納時に踏み台およびホースリールカバーが上に凹となるため、上方からゴミや埃などが入ってしまう。これを防ぐために蓋体を設ける必要があり、部品点数が増加してしまっていた。
【０００７】
【特許文献１】実開昭５１−８３９２４号公報
【特許文献２】特開平０９−１９４１４７号公報
【特許文献３】実開平０２−９８０６０号公報
【発明の開示】
【発明が解決しようとする課題】
【０００８】
本発明は上記問題点を解決するためになされたものであり、ホースリールに取り付けた状態でもホースリースから取り外した状態でも踏み台として使用可能なカバーを備えた踏み台付きホースリールを提供することをその課題とする。また、他の課題は、上記カバーを取り付けた状態でもホースの引き出し、巻き取りが可能で、かつ、ホースを引き出した状態でもカバーの取り付け、取り外しが可能な踏み台付きホースリールを提供することにある。
【課題を解決するための手段】
【０００９】
本発明において、上記課題が解決される手段は以下の通りである。
第１の発明は、ホースを巻き取る軸筒を有するドラムと、このドラムを回転可能に支持する架台とからなるホースリール本体と、四側壁および四側壁の上端部に固定された天板を有して上記ホースリール本体の上方および周囲を覆うとともに、四側壁のうちの少なくとも一側壁には上記ホースを外方に引き出すためのホース取出口を開設してなり、ホースリール本体に取り付けた状態、および、ホースリール本体から取り外した状態にて、上記天板を足場とした踏み台として使用可能なカバーとからなる踏み台付きホースリールである。
【００１０】
第２の発明は、上記ホース取出口の下方に連続して、当該一側壁の下方へ開放するように切り欠かれた下方開口部が形成されたことを特徴とする。
第３の発明は、上記下方開口部を、着脱可能な閉鎖部材で覆ったことを特徴とする。
【００１１】
第４の発明は、上記下方開口部を、横方向に回動して開閉可能な扉部材で覆ったことを特徴とする。
第５の発明は、上記カバーの天板に取っ手を設けたことを特徴とする。
【発明の効果】
【００１２】
第１の発明によれば、ホースを巻き取る軸筒を有するドラムと、このドラムを回転可能に支持する架台とからなるホースリール本体と、四側壁および四側壁の上端部に固定された天板を有して上記ホースリール本体の上方および周囲を覆うとともに、四側壁のうちの少なくとも一側壁には上記ホースを外方に引き出すためのホース取出口を開設してなり、ホースリール本体に取り付けた状態、および、ホースリール本体から取り外した状態にて、上記天板を足場とした踏み台として使用可能なカバーとからなることにより、収納時や使用時にカバーによって風雨や直射日光等の外的劣化要因からホースを保護することができるとともに、カバーを取り外してホースリール本体とは別体の安定した踏み台として使用できる。また、カバーを取り付けた状態でもホースリール取出口からホースを引き出して使用することができる。さらに、カバーを取り外してカバーおよびホースリール本体の洗浄や手入れを容易にすることができる。
【００１３】
第２の発明によれば、上記ホース取出口の下方に連続して、当該一側壁の下方へ開放するように切り欠かれた下方開口部が形成されたことにより、ホースリール本体からホースを引き出して使用している状態でも、ホースが下方開口部を下方に通り抜けられるため、ホースを一旦巻き戻すことなくカバーをホースリールに着脱することができる。
【００１４】
第３の発明によれば、上記下方開口部を、着脱可能な閉鎖部材で覆ったことにより、ホースリール本体からホースを引き出して使用している状態でカバーを着脱するときには、閉鎖部材を取り外すことで、ホースを一旦巻き戻すことなくカバーを着脱することができる。また、その他の使用時および収納時には、閉鎖部材を取り付けることで、下方開口部を閉塞することができるとともに踏み台としての強度を確保することができる。
【００１５】
第４の発明によれば、上記下方開口部を、横方向に回動して開閉可能な扉部材で覆ったことにより、ホースリール本体からホースを引き出して使用している状態でカバーを着脱するときには、扉部材を開放することで、ホースを一旦巻き戻すことなくカバーを着脱することができる。また、その他の使用時および収納時には、扉部材を閉鎖することで、下方開口部を閉塞することができるとともに踏み台としての強度を確保することができる。さらに、扉部材をカバーから離脱させないため、扉部材を紛失するおそれがない。
【００１６】
第５の発明によれば、上記カバーの天板に取っ手を設けたことにより、カバーを取り付けた状態での踏み台付きホースリールの持ち運び、およびカバーを取り外した状態でのカバーの持ち運びが容易になる。
【発明を実施するための最良の形態】
【００１７】
以下、本発明の実施形態に係る踏み台付きホースリールについて説明する。
図１は本発明の実施形態に係る踏み台付きホースリールの使用状態の斜視図、図２は同踏み台付きホースリールのカバー２を取り外す操作の説明図である。
また、図３は踏み台としても使用可能なカバー２の斜視図、図４はホースリール本体１の斜視図である。
【００１８】
この踏み台付きホースリールは、ホースリール本体１を、踏み台としても使用可能なカバー２で保護してなる。このホースリール本体１は、ホース３を巻き取るドラム４の両端を、回転自在に架台５が支持して形成される（図４）。
ホースリール本体１では、ホース３を巻き取った状態からホース３を引くとドラム４が回転してホース３を引き出すことができ、また、ホース３を引き出した状態から、ドラム４に連結されたクランク状のハンドル６を逆方向に回転させると、ドラム４が回転してホース３を巻き戻すことができる。
【００１９】
図５は本発明の実施形態に係る踏み台付きホースリールの中央縦断面図、図６は同右側方図、図７は図６中のＡ−Ａ線断面図である。図５中の二点鎖線はホース３を示している。
上記ドラム４は、外周にホース３を巻きつける軸筒４ａ（図５、図７参照）の両側に、巻きつけたホース３の離脱防止と保護のために大径の円盤部４ｂを設けてなる。
【００２０】
図４に示すように、上記架台５は、角部を丸く形成した長方形枠を台座５ａとし、この台座５ａの２つの長辺の中央部の間にアーチ状の支持枠５ｂを設けてなり、また、台座５ａの各角部の下部には合計４脚の脚部７を設けている。
支持枠５ｂの対向する２本の柱は、高くなるにつれ幅が狭くなる側面三角形状に形成され、その中間高さにドラム４を回転可能に支持するための孔５ｃをそれぞれ穿設している。一方の柱には孔５ｃを貫通してドラム４の軸筒４ａと連結される軸着部材（図示せず）を取り付ける。また、他方の柱には孔５ｃを貫通してドラム４の軸筒４ａと連結されるクランク状のハンドル６が取り付けられ、ハンドル６の回転操作にドラム４の回転を連動させられるようになっている。
【００２１】
また、支持枠５ｂの各柱の最上部には、柱から水平なリブが突出し、そのリブからは嵌合ツメ８が上方に向かって立設されている。カバー２との嵌合部を構成するこの嵌合ツメ８は、外方斜め上に面する斜面部と、真下に面する下面部とを有し、下面部がいわゆる返しとなって、カバー２を取り付けた際にカバー２の嵌合孔２５に嵌入して容易に外れないように係合する。また、嵌合ツメ８は柱との間に間隙を有して弾性変形しやすくなっており、嵌合孔２５の内側に押し込めば容易に係合が外れ、カバー２を取り外すことができる。
また、孔５ｃと嵌合ツメ８との間の柱の側面には、水平に突出したリブを格子状に設けて強度を向上させている。また、支持枠の剛性をあげるために、支持枠を構成する各板材の両側縁を立ち上げて立上げ部を形成している。
【００２２】
支持枠５ｂの両柱の間に架けた水平な梁部は両柱を固定して歪みを防止する役割があり、垂直なリブを２つ設けている。また、この梁部は、カバー２を取り外した状態ではホースリール本体１の取っ手として用いられる。
【００２３】
図１０に示すように、台座５ａの各角部に取り付けられる脚部７は、台座５ａとの取り付け部を軸として水平に回転可能に取り付けてあり、展開したりホースリール本体１の下に収納したりすることができる。これにより、散水等のホース３の使用時には、脚部７を展開することで安定性を向上させ、ホースリール本体１のがたつきを抑制することができ、また、使用者が脚部７に足を乗せて押さえることでホースリール本体１をさらに安定させながら操作することができる（図１０（ａ）、図１）。一方、脚部７を収納位置にすることで、踏み台付きホースリールの収納時における平面面積を小さく抑えることができる（図１０（ｂ））。
【００２４】
この脚部７は、足乗せ板７ａと、この足乗せ板７ａから垂下した側壁７ｂとからなり、扁平な箱の底部を開口した形状となっている（図４）。図１１に示すように、台座５ａとの取り付け部である取付軸７ｃは脚部７の外縁に円筒状に形成されて足乗せ板７ａの上方へ突出し、その先端には返しのついた複数のツメが周上等間隔に設けられ、架台５の台座５ａに下から軸着される。
側壁７ｂの下端面にはゴムの滑り止め７ｄを接着して、安定性を向上させる（図１０（ａ）、図１１）。また、足乗せ板７ａの上面には複数の長溝７ｅを設けて、滑らずに足を乗せることができるようにする（図４）。さらに、足乗せ板７ａの下面には強度を上げるために格子状のリブを立設している（図１０（ａ））。
【００２５】
図３に示すように、カバー２は、４枚の側壁２ｂ、２ｃ、２ｄ、２ｅからなる四角筒とその上部を閉塞して固定された天板２ａとからなり、ホースリール本体１の上方および四周を覆うことができるとともに、ホースリール本体１に取り付けた状態で、およびホースリール本体１から取り外した状態で踏み台としても使用することができる。
【００２６】
天板２ａの中央には、平行に走る２本の窪みが設けられ、両窪みの間の部分をカバー２の取っ手２１として用いることができる。また、取っ手２１および窪みの前後には、使用者がカバー２を踏み台として用いたときに滑らないように表面に凹凸を設けた足乗せ部２２をそれぞれ設けている。この足乗せ部２２は、使用者がカバー２に乗ったときに両足を乗せる位置および範囲に設ける。
また、カバー２内部のホースリール本体１に対向する天板２ａの下面には、格子状のリブを設けて強度を上げている。
【００２７】
カバーの各側壁２ｂ、２ｃ、２ｄ、２ｅには、下端付近の高さおよびドラム４の軸心とほぼ同じ高さの２箇所で傾斜した段差を設け、低い位置ほどより太く形成して安定性を向上させている。底部付近の太さは、ちょうど架台５の台座５ａが収まる形状となっている。
また、右側壁２ｃおよび左側壁２ｅには上下に延在する凹部を各２箇所設けて踏み台としての強度を上げている。
さらに、各側壁２ｂ、２ｃ、２ｄ、２ｅの下端面にはゴムの滑り止め２３を接着して、カバー２を取り外して踏み台として使用する際の安定性を向上させる（図１１）。
【００２８】
カバーの右側壁２ｃおよび左側壁２ｅには、ハンドル６の軸部の位置から下方に開放した切り欠き部２４が設けられている。この切り欠き部２４の上側の縁部は、ハンドル６の軸部が収まるように円弧状に形成される。この切り欠き部２４は下側が広くなる末広がり形状となっており、ホースリール本体１とカバー２との着脱時にカバー２が適正位置から前後に傾斜したりずれたりしても、スムーズに着脱を行うことができる。
【００２９】
また、カバー２の右側壁２ｃおよび左側壁２ｅの中央最上部は、カバー２内側に陥没し、この陥没部に嵌合孔２５が穿設されている（図３、図６）。この嵌合孔２５はホースリール本体１の嵌合ツメ８と嵌合して、カバー２とホースリール本体１とを取り付ける。
カバー２をホースリール本体１に取り付ける際には、ホースリール本体１の上方からカバー２を被せると、上記陥没部の内壁が嵌合ツメ８を押圧しながら下降し、嵌合孔２５が嵌合ツメ８の高さまで下降すると押圧された嵌合ツメ８が元に戻って嵌合孔２５に嵌入する。これにより、カバー２とホースリール本体１との取り付けを容易に行うことができるとともに、嵌合ツメ８の下面部が返しとなって、カバー２を持ち上げてもホースリール本体１が外れないように装着することができる。
また、カバー２をホースリール本体１から取り外す際には、嵌合ツメ８をカバー２内部に押し込んで返しが効かないようにした状態で、カバー２を引き上げる。
【００３０】
このようにホースリール本体１から取り外して踏み台として使用可能なカバー２を設けたことにより、収納時や使用時にはカバー２によって風雨や直射日光等の外的劣化要因からホース３を保護することができるとともに、カバー２を取り外してホースリール本体とは別体の安定した踏み台として使用できる。さらに、カバー２を容易に取り外すことができるので、カバー２およびホースリール本体１の洗浄や手入れを容易にすることができる。
また、カバー２をホースリール本体１に取り付けた状態でも踏み台として使用することが可能である。その際には、ホースリール本体１の脚部７を展開すると安定性が増し、安全に使用することができる（図１）。
【００３１】
図３に示すように、カバー２の正面側壁２ｂには、ドラム４の両円盤部４ｂ、４ｂ間の距離と略同等の幅で、下方へ開放する切り欠き部２６を設けている。図５に示すように、切り欠き部２６の高さとしては、ホースリール本体１を組み立ててドラム４にホース３を巻き付けた状態で、ホース３の最も外側の高い位置と略同等の高さから下に向かって切り欠いている。
【００３２】
この切り欠き部２６の下部分は、下方開口部２８として着脱可能な閉鎖部材１０によって覆われている（図１、図３）。
これにより、切り欠き部２６の上部分はホース取出口として開口し、カバー２を取り付けた状態でこのホース取出口からホース３の引き出しや巻き取りを行うことができる。このとき閉鎖部材１０の上端がガイドとなりホース３を巻き取りやすくなるため、操作性が向上する。また、下方開口部２８は閉鎖部材１０で覆われるので、埃や雨や泥等の汚れの原因からホースリール本体１を保護することができる。さらに、閉鎖部材１０によりカバー２が踏み台として使用する際の強度も向上する。
【００３３】
この閉鎖部材１０は、図９に示すように、下方開口部２８と同形の長方形部分の両脇に、カバー２との取り付け部となる低い長方形部分を成形した形状の板材である。閉鎖部材１０は、正面側壁２ｂの凹凸に合わせて曲折させてあり、下方開口部２８を適切に覆うことができる。
また、閉鎖部材１０の表面には、カバー２から取り外す際のスライド方向の指示の役割と、スライド操作時の滑り止めの役割とを果たして、全体として上方に凸な二等辺三角形を表す複数の窪みからなる指示マーク１０ａが設けられている。
この閉鎖部材１０の裏面（カバー内部側の面）には補強用のリブが突出成形されている。カバーとの取り付け部の裏面には、左右一対のＵ字状リブ１０ｂが設けられ、このＵ字状リブ１０ｂの中ほどから幅方向外に向かって、左右一対のスライド片１０ｃが形成されている。
【００３４】
また、カバー２の切り欠き部２６の下部分の左右には、閉鎖部材１０との取り付け部となるスライド溝２７が形成されている（図３）。
スライド溝２７は、垂直な支持壁２７ａと下面を区切る水平な支持底２７ｂとが正面側壁２ｂの下方開口部２８の左右から前方にせり出し、その先端には幅方向内側へせり出した係止壁２７ｃを有している。また、下方開口部２８の左右縁部の一部からも、突出片２７ｄが前方にせり出している。
【００３５】
閉鎖部材１０をカバー２に取り付けるには、支持壁２７ａと支持底２７ｂと係止壁２７ｃと突出片２７ｄとで区画される空間（スライド溝２７）に、上方から閉鎖部材１０裏面のＵ字状リブ１０ｂをスライドさせて挿入する。Ｕ字状リブ１０ｂの最下部が支持底に当接して支持された状態では、支持壁２７ａと係止壁２７ｃと突出片２７ｄとによってスライド片１０ｃの移動が制限され、上方にスライドさせない限り閉鎖部材１０がカバー２から外れることはない（図７）。
【００３６】
ホース取出口からホース３を引き出した状態で、カバー２をホースリール本体１から取り外して踏み台として使用する場合には、閉鎖部材１０を取り外して（図８）カバー２を上方へ抜き取ることで（図２）、ホース３を一旦巻き戻すことなくカバー２を取り外すことができる。
閉鎖部材１０をカバー２から取り外すには、スライド片１０ｃが係止壁２７ｃの高さを超えるまで閉鎖部材１０を上方にスライドさせるだけで容易に取り外すことができる。
【００３７】
＜別態様＞
下方開口部２８を、着脱可能な閉鎖部材１０ではなく、横方向に回転して開閉可能にカバー２に取り付けられた扉部材によって覆うように構成してもよい。
このような態様では、ホースリール本体１からホース３を引き出して使用している状態でカバー２を取り外すには、扉部材を開放することで、ホース３を一旦巻き戻すことなくカバー２を取り外すことができる。また、その他の使用時および収納時には、扉部材を閉鎖することで、下方開口部２８を閉塞することができるとともに踏み台としての強度を確保することができる。
さらに、閉鎖部材１０を用いた場合に比べ、扉部材をカバーから離脱させないため、扉部材を紛失するおそれがない。
【図面の簡単な説明】
【００３８】
【図１】本発明の実施形態に係る踏み台付きホースリールの使用状態の斜視図である。
【図２】同踏み台付きホースリールのカバー取り外し操作の説明図である。
【図３】同踏み台付きホースリールのカバーの斜視図である。
【図４】同踏み台付きホースリールのホースリール本体の斜視図である。
【図５】同踏み台付きホースリールの中央縦断面図である。
【図６】同踏み台付きホースリールの右側面図である。
【図７】図６のＡ−Ａ線断面図である。
【図８】同踏み台付きホースリールの閉鎖部材取り外し時の説明図である。
【図９】閉鎖部材の説明図であり、（ａ）は正面図、（ｂ）は右側面図、（ｃ）は背面図である。
【図１０】本発明の実施形態に係る踏み台付きホースリールの底面図であり、（ａ）が脚部の展開状態の図、（ｂ）が脚部の収納状態の図である。
【図１１】本発明の実施形態に係る踏み台付きホースリールの分解斜視図である。
【符号の説明】
【００３９】
１  ホースリール本体
２  カバー
２ａ  天板
２ｂ  （正面）側壁
２ｃ  （右）側壁
２ｄ  （後）側壁
２ｅ  （背面）側壁
３  ホース
４  ドラム
４ａ  軸筒
４ｂ  円盤部
５  架台
５ａ  台座
５ｂ  支持枠
５ｃ  孔
６  ハンドル
７  脚部
７ａ  足乗せ板
７ｂ  側壁
７ｃ  取付軸
７ｄ  滑り止め
７ｅ  長溝
８  嵌合ツメ
１０  閉鎖部材
１０ａ  指示マーク
１０ｂ  Ｕ字状リブ
１０ｃ  スライド片
２１  取っ手
２２  足乗せ部
２３  滑り止め
２４  切り欠き部
２５  嵌合孔
２６  切り欠き部
２７  スライド溝
２７ａ  支持壁
２７ｂ  支持底
２７ｃ  係止壁
２７ｄ  突出片
２８  下方開口部
【図１】
2010126332.tif 000003
【図２】
2010126332.tif 000004
【図３】
2010126332.tif 000005
【図４】
2010126332.tif 000006
【図５】
2010126332.tif 000007
【図６】
2010126332.tif 000008
【図７】
2010126332.tif 000009
【図８】
2010126332.tif 000010
【図９】
2010126332.tif 000011
【図１０】
2010126332.tif 000012
【図１１】
2010126332.tif 000013